(57)【要約】【課題】折り返し試験を行った際の異常箇所が送信系であるのか受信系であるのかを認識することができ、送受信系全般を対象とした異常箇所の特定に対してその異常箇所の特定作業を軽減することができる無線式送受信装置を提供する。【解決手段】送信用無線信号を送受信用で共用するアンテナ３３から送信するための送信系と、アンテナ３３からの受信用無線信号を受信するための受信系とを備え、アンテナ３３の手前に無線信号を選択的に折り返す方向性結合器２５を配置し、送信系からの送信用無線信号を方向性結合器２５を経由して折り返した後に受信系とは別経路の折り返し用受信系により受信すると共に、送信系とは別経路の折り返し用送信系からの受信用無線信号を方向性結合器２５を経由して折り返した後に受信系を経由して受信する。【選択図】        図１
2004312522.tif 000002
【特許請求の範囲】
【請求項１】
送信用アンテナと受信用アンテナとを一つのアンテナで共用すると共に、送信用無線信号を前記一つのアンテナから送信するための送信系と受信用無線信号を前記一つのアンテナから受信するための受信系とを前記一つのアンテナを境として構成した無線式送受信装置において、
前記アンテナの手前に無線信号を選択的に折り返す方向性結合器を配置し、前記送信系からの送信用無線信号を前記方向性結合器を経由して折り返した後に前記受信系とは別経路の折り返し用受信系により受信すると共に、前記送信系とは別経路の折り返し用送信系からの受信用無線信号を前記方向性結合器を経由して折り返した後に、前記受信系を経由して受信することを特徴とする無線式送受信装置。
【発明の詳細な説明】
【０００１】
【発明の属する技術分野】
本発明は、無線式送受信装置、特に、その異常診断のための折り返し試験可能な無線式送受信装置に関する。
【０００２】
【従来の技術】
近年、高度情報通信網の普及に伴い、設置工事が容易で経済的な無線通信装置が要求されている。
【０００３】
また、情報の高度化に伴い回線の信頼度向上と共に、障害時の故障機器の切分けと復旧作業とを迅速に行なう必要がある。
【０００４】
さらに、移動通信基地局間通信用無線通信装置や衛星通信用超小型地球局無線通信装置など、アンテナとほぼ一体化された小型で密封型の屋外設置可能な無線通信装置が開発されてきている。
【０００５】
このような屋外設置の無線通信装置では、保守時に機器性能を評価、確認するために、折り返し試験による自己診断機能が必要となるが、構造上や設置条件上から折り返し試験器等を装置外部に取り付けることはできず、装置内部に、送信出力を受信入力に取り込んで受信中間周波信号に変換する回路が必要となる。
【０００６】
図４及び図５は、このような折り返し試験を可能とした無線式送受信装置の一例を示すもので（例えば、特許文献１参照。）、図４は屋外装置のシステムブロック図、図５は折り返し試験可能な無線式送受信装置を有する無線通信システムのブロック図である。
【０００７】
図５において、自局３０１と通信相手局３０２の各局では、それぞれ変復調装置等を有する屋内装置２００に、ＩＦケーブルを介して屋外装置２０１が接続されている。
【０００８】
屋外装置２０１は、アップコンバータ，送信フィルタやダウンコンバータ，受信フィルタや送受信用共用器を有する他、送受用アンテナ２０３が取り付けられている。
【０００９】
自局３０１側の屋外装置２０１は、折り返し試験可能な無線式送受信装置として構成されている。
【００１０】
すなわち、自局３０１側の屋外装置２０１は、図４に示すように、送信系ＴＳ，受信系ＲＳ，送受共用器（送受共用手段）４，送信信号折り返し部６，シフタ部７を備えている。
【００１１】
ここで、送信系ＴＳは、アップコンバータ１と送信フィルタ２とを備え、アップコンバータ１は変復調装置（ＭＯＤＥＭ）１００からの送信中間周波信号（送信ＩＦ信号）を送信周波数信号（送信ＲＦ信号）に変換するもので、局部発振器１ａ，ミキサー１ｂのほか、高出力増幅器（ＨＰＡ）１ｃを備えている。
【００１２】
送信フィルタ２はアップコンバータ１からの送信周波数信号に含まれる不要波を抑圧するものであり、バンドパスフィルタが使用される。
【００１３】
受信系ＲＳは、受信フィルタ３とダウンコンバータ５とを備えており、受信フィルタ３は受信周波数信号（受信ＲＦ信号）に含まれる不要波を抑圧するものであって、バンドパスフィルタが使用される。
【００１４】
ダウンコンバータ５は、受信フィルタ３からの信号を変復調装置１００のための受信中間周波信号（受信ＩＦ信号）に変換するもので、局部発振器５ａ，ミキサー５ｂのほか、低雑音増幅器（ＬＮＡ）５ｃを備えている。
【００１５】
送受共用器４は、送信系ＴＳからの送信信号をアンテナ２０３側へ出力すると共に、アンテナ２０３からの受信信号を受信系ＲＳ側へ出力する。
【００１６】
送信信号折り返し部６は、送信系ＴＳの送信信号を減衰させて受信系ＲＳに折り返すためのもので、減衰器６ａ，分配部（分岐手段）６ｂ，合成部６ｃを備えている。ここで、減衰器６ａは分配部６ｂ，合成部６ｃ間に介装されて折り返し信号を受信信号と同等のレベルにまで減衰させる（抵抗）。
【００１７】
分配部６ｂは送信系ＴＳの送信周波数帯域部分から送信信号を取り出すもので、合成部６ｃは受信系ＲＳの受信周波数帯域部分へ折り返し送信信号を入力するものであり、分配部６ｂ，合成部６ｃは、いずれも方向性結合器を有するハイブリッド回路として構成されている。
【００１８】
ここで、装置単位の故障切分けを行なうには、極力装置の出力端に近い所で折り返す方が良いことから、無線送受信装置の折り返しループはＲＦ帯で行なう必要がある。従って、送信信号折り返し部６は、高出力増幅器１ｃの出力側から低雑音増幅器５ｃの入力側に折り返すような構成をとっている。
【００１９】
シフタ部７は、受信系ＲＳのダウンコンバータ５の出力側に設けられて、ダウンコンバータ５で中間周波数帯に変換され信号を変復調装置１００の受信入力周波数に変換するもので、周波数変換部７ａ，バイパス路７ｂ，切替スイッチ７ｃ，７ｄを備えている。
【００２０】
ここで、周波数変換部７ａは、ダウンコンバータ５で中間周波数帯に変換された送信信号を変復調装置１００の受信入力周波数に変換するもので、局部発振器７ｅ，ミキサー７ｆを備えている。
【００２１】
バイパス路７ｂは周波数変換部７ａをバイパスする信号経路である。
【００２２】
切替スイッチ７ｃは、ダウンコンバータ５の出力を周波数変換部７ａまたはバイパス路７ｂのいずれかに選択的に入力するもので、切替スイッチ７ｄは、切替スイッチ７ｃに連動して周波数変換部７ａまたはバイパス路７ｂのいずれかから信号を取り出すものである。
【００２３】
上述の構成により、変復調装置１００からの送信ＩＦ信号は、アップコンバータ１により送信ＲＦ信号に周波数変換され、更にこの送信ＲＦ信号は高出力増幅器１ｃにより所望の送信出力レベルまで増幅されたのち、送信フィルタ２により局部発振器成分等の不要波を抑圧されてから、送受共用器４を通って、アンテナ２０３の給電端に供給される。
【００２４】
一方、低レベルの受信ＲＦ信号は、送受共用器４により送信信号と分離され受信フィルタ３により不要波を抑圧された後、低雑音増幅器５ｃにより十分に増幅されてから、ダウンコンバータ５により、受信ＩＦ信号に周波数変換される。通常時は、切換スイッチ７ｃ，７ｄがａ側にあるので、受信ＩＦ信号はバイパス路７ｂを通ってそのまま変復調装置１００の復調部に供給される。
【００２５】
さらに、送信ＲＦ信号は高出力増幅器１ｃの出力側において、分配器６ｂにより、その一部が折り返しの信号として減衰器６ａで所望レベルまで減衰され、合成器６ｃにより、受信ＲＦ信号と合成されて、低雑音増幅器５ｃに供給される。送信ＲＦ信号は、受信ＲＦ信号と共にダウンコンバータ５により周波数変換され、それぞれＩＦ信号となる。
【００２６】
【特許文献１】
特開平６−２３７２２９号公報（段落番号００４４−００５５、図２−図３）
【００２７】
【発明が解決しようとする課題】
ところで、上記の如く構成された無線式送受信装置にあっては、折り返し試験を行う際、受信系と送信系とを共用して折り返していることから、異常があった場合、その異常の有無は認識できるものの、その異常箇所の特定に時間を要するという問題が生じていた。
【００２８】
本発明は、上記問題を解決するため、折り返し試験を行った際の異常箇所が送信系であるのか受信系であるのかを認識することができ、送受信系全般を対象とした異常箇所の特定に対してその異常箇所の特定作業を軽減することができる無線式送受信装置を提供することを目的とする。
【００２９】
【課題を解決するための手段】
その目的を達成するため、本発明の無線式送受信装置は、送信用アンテナと受信用アンテナとを一つのアンテナで共用すると共に、送信用無線信号を前記一つのアンテナから送信するための送信系と受信用無線信号を前記一つのアンテナから受信するための受信系とを前記一つのアンテナを境として構成した無線式送受信装置において、前記アンテナの手前に無線信号を選択的に折り返す方向性結合器を配置し、前記送信系からの送信用無線信号を前記方向性結合器を経由して折り返した後に前記受信系とは別経路の折り返し用受信系により受信すると共に、前記送信系とは別経路の折り返し用送信系からの受信用無線信号を前記方向性結合器を経由して折り返した後に、前記受信系を経由して受信することを特徴とする。
【００３０】
【発明の実施の形態】
次に、本発明の無線式送受信装置の実施の形態を図面に基づいて説明する。
【００３１】
図１は本発明の無線式送受信装置のシステムブロック図、図２は送信系の異常診断時の経路を示す無線式送受信装置のシステムブロック図、図３は受信系の異常診断時の経路を示す無線式送受信装置のシステムブロック図である。尚、図２及び図３のシステム構成自体は図１と同一である。
【００３２】
図１において、屋内装置１０と屋外装置２０とが光ケーブル４１，４２並びに光成端箱４３，４４を介して接続されている。尚、この実施の形態では光ケーブル４１，４２を用いた場合を示すが、上述したＩＦケーブル等の他の接続ケーブル等であっても良い。
【００３３】
屋内装置１０は、その送信系として送信系往路用フィルタ１１、Ｅ／Ｏ変換器１２、Ｏ／Ｅ変換器１３、送信系復路用フィルタ１４を備えている。また、屋内装置１０は、受信系として受信系往路用フィルタ１５、Ｅ／Ｏ変換器１２、Ｏ／Ｅ変換器１３、受信系復路用フィルタ１６とを備えている。
【００３４】
従って、送信系では送信系往路用フィルタ１１と送信系復路用フィルタ１４とが専用となっており、受信系では受信系往路用フィルタ１５と受信系復路用フィルタ１６とが専用となっており、Ｅ／Ｏ変換器１２とＯ／Ｅ変換器１３とが送信系に関して往路用と復路用とで共用されている。
【００３５】
屋外装置２０は、その送信系としてＯ／Ｅ変換器２１、送信系往路用第１フィルタ２２、低歪なリニアパワーアンプ（Ｌｉｎｅａｒ  Ｐｏｗｅｒ  Ａｍｐｌｉｆｉｅｒ、以下「ＬＰＡ」と称する）２３、送信系往路用第２フィルタ２４、方向性結合器２５、ハイブリッド（２分配器）２６、送信系復路用フィルタ２７、Ｅ／Ｏ変換器２８を備えている。また、屋外装置２０は、その受信系としてＯ／Ｅ変換器２１、受信系往路用フィルタ２９、ハイブリッド２６、方向性結合器２５、受信系復路用第１フィルタ３０、低雑音増幅器（ＬＮＡ）３１、受信系復路用第２フィルタ３２、Ｅ／Ｏ変換器２８を備えている。
【００３６】
従って、送信系では送信系往路用第１フィルタ２２、ＬＰＡ２３、送信系往路用第２フィルタ２４、送信系復路用フィルタ２７が専用となっており、受信系では受信系往路用フィルタ２９、受信系復路用第１フィルタ３０、低雑音増幅器３１、受信系復路用第２フィルタ３２が専用となっており、Ｏ／Ｅ変換器２１、方向性結合器２５、ハイブリッド２６、Ｅ／Ｏ変換器２８が送受信系に関して往路用と復路用とで共用されている。
【００３７】
ところで、上述した「往路」並びに「復路」とは、異常診断のための折り返し試験に関してのものであり、通常の無線式送受信装置として使用する場合には、屋内装置１０からの無線信号は送信系往路用フィルタ１１を経由してＥ／Ｏ変換器１２により電気信号が光信号に変換されて屋外装置２０へと伝送され、Ｏ／Ｅ変換器２１により光信号が電気信号に変換された後、送信系往路用第１フィルタ２２、ＬＰＡ２３、送信系往路用第２フィルタ２４、方向性結合器２５等の往路を経由してアンテナ３３から送信される。
【００３８】
また、アンテナ３３からの受信電波は、方向性結合器２５、受信系復路用第１フィルタ３０、低雑音増幅器３１、受信系復路用第２フィルタ３２を経由してＥ／Ｏ変換器２８により電気信号が光信号に変換されて屋内装置１０へと伝送され、Ｏ／Ｅ変換器１３により光信号が電気信号に変換されて受信系復路用フィルタ１６を経由して受信される。
【００３９】
上記の構成において、送信系異常診断のための折り返し試験を行う場合には、図２に示すように、無線信号（ＲＦ信号）は、屋内装置１０の送信系往路用フィルタ１１を経由してＥ／Ｏ変換器１２により電気信号が光信号に変換されて屋外装置２０へと伝送され、Ｏ／Ｅ変換器２１により光信号が電気信号に変換された後、送信系往路用第１フィルタ２２、ＬＰＡ２３、送信系往路用第２フィルタ２４、並びに方向性結合器２５を経由して折り返される。
【００４０】
さらに、ハイブリッド２６、送信系復路用フィルタ２７を経由してＥ／Ｏ変換器２８により電気信号が光信号に変換されて屋内装置へと伝送され、Ｏ／Ｅ変換器１３により光信号が電気信号に変換されて送信系復路用フィルタ１４を経由して受信される。
【００４１】
一方、受信系異常診断のための折り返し試験を行う場合には、図３に示すように、無線信号（ＩＦ信号）は、屋内装置１０の受信系往路用フィルタ１５を経由してＥ／Ｏ変換器１２により電気信号が光信号に変換されて屋外装置２０へと伝送され、Ｏ／Ｅ変換器２１により光信号が電気信号に変換された後、受信系往路用フィルタ２９、ハイブリッド２６、並びに方向性結合器２５を経由して折り返される。
【００４２】
さらに、受信系復路用第１フィルタ３０、低雑音増幅器３１、受信系復路用第２フィルタ３２を経由してＥ／Ｏ変換器２８により電気信号が光信号に変換されて屋内装置へと伝送され、Ｏ／Ｅ変換器１３により光信号が電気信号に変換されて受信系復路用フィルタ１６から受信される。
【００４３】
従って、送信系と受信系とを別々に折り返し試験を行うことにより、その異常箇所の判断を送受信系全般を対象とすることなく特定することが可能となる。
【００４４】
尚、例えば、送信系と受信系の双方に異常箇所があると思われる場合には、これら送信系と受信系の双方で共用した部品等の異常であると判断することができるため、部分的な共用があったとしても、異常箇所診断の容易性の妨げとなることもない。
【００４５】
【発明の効果】
本発明の無線式送受信装置にあっては、以上説明したように構成したことにより、折り返し試験を行った際の異常箇所が送信系であるのか受信系であるのかを認識することができ、送受信系全般を対象とした異常箇所の特定に対してその異常箇所の特定作業を軽減することができる。
【図面の簡単な説明】
【図１】本発明の実施の形態に係わる無線式送受信装置のシステムブロック図である。
【図２】送信系の異常診断時の経路を示す無線式送受信装置のシステムブロック図である。
【図３】受信系の異常診断時の経路を示す無線式送受信装置のシステムブロック図である。
【図４】従来の無線式送受信装置に使用される屋外装置のシステムブロック図である。
【図５】従来の折り返し試験可能な無線式送受信装置を有する無線通信システムのブロック図である。
【符号の説明】
２５  方向性結合器、３３  アンテナ。
【図１】
2004312522.tif 000003
【図２】
2004312522.tif 000004
【図３】
2004312522.tif 000005
【図４】
2004312522.tif 000006
【図５】
2004312522.tif 000007